【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
流体通路と、前記流体通路の流体導出端に形成された開口端面とを含む流体導出部と、
前記流体導出部の前記流体通路内に配置されるシール部材と、
前記流体導出部の前記流体通路及び前記開口端面を覆って配置され、前記開口端面及び前記シール部材に熱溶着される封止フィルムと、
を有することを特徴とする流体導出部のシール構造体。
【請求項２】
請求項１において、
前記流体通路は、前記封止フィルムを破って流体導出針を受け入れ可能であり、
前記シール部材は、前記流体導出針が密着して挿通される孔部を有する弾性リングにて形成されていることを特徴とする流体導出部のシール構造体。
【請求項３】
請求項２において、
前記流体通路内にて、前記シール部材と当接可能に配置された可動の弁体と、
前記弁体を前記シール部材に圧接するように付勢する付勢部材と、
をさらに有し、
前記シール部材は、前記流体導出針が挿通される以前は、前記弁体が圧接されて前記流体通路を遮断する弁座部材として機能し、前記流体導出針が前記封止フィルムを破って前記流体通路に挿入された時に、前記流体導出針により前記付勢部材の付勢力に抗して前記弁体が前記シール部材より離間されて、前記流体通路を開放することを特徴とする流体導出部のシール構造体。
【請求項４】
請求項１乃至３のいずれかにおいて、
前記開口端面は環状に突出した第１溶着代を含み、
前記シール部材は環状に突出した第２溶着代を含み、
前記第１溶着代及び前記第２溶着代が、前記封止フィルムと熱溶着されていることを特徴とする流体導出部のシール構造体。
【請求項５】
流体が収容された流体収容袋と、
前記流体収容袋の流体導出口に連結された流体残量検出ユニットと、
前記流体残量検出ユニットに連結された、請求項１乃至４のいずれかに記載のシール構造体と、
を有することを特徴とする流体収容容器。
【請求項６】
請求項５に記載の流体収容容器が、流体導出針により前記封止フィルムが突き破られて前記流体収容袋内の流体が導出された後に回収され、前記流体収容袋内に流体が再充填された再充填流体収容容器であって、
突き破られた前記封止フィルムは、前記開口端面及び前記シール部材との熱溶着が保持されており、
前記封止フィルムに重ねて接合され、前記封止フィルムの突き破られた領域を少なくとも被覆する被覆フィルムをさらに有することを特徴とする再充填流体収容容器。
【請求項７】
請求項５に記載の流体収容容器が、流体導出針により前記封止フィルムが突き破られて前記流体収容袋内の流体が導出された後に回収され、前記流体収容袋内に流体を再充填する流体収容容器への再充填方法であって、
突き破られた前記封止フィルムと、前記開口端面及び前記シール部材との熱溶着により前記開口面側でのシールを保持しながら、前記流体収容袋内に流体を再充填する工程と、
再充填工程後に、前記封止フィルムの突き破られた領域を少なくとも被覆する被覆フィルムを、前記封止フィルムに重ねて接合する工程と、
を有することを特徴とする流体収容容器への再充填方法。
【手続補正２】
【補正対象書類名】明細書
【補正対象項目名】発明の名称
【補正方法】変更
【補正の内容】
【発明の名称】流体導出部のシール構造体、流体収容容器、再充填流体収容容器及びその再充填方法
【手続補正３】
【補正対象書類名】明細書
【補正対象項目名】０００１
【補正方法】変更
【補正の内容】
【０００１】
本発明は、例えばプリンタ用のインクカートリッジ等に好適な流体導出部のシール構造体、流体収容容器、再充填流体収容容器及びその再充填方法に関する。
【手続補正４】
【補正対象書類名】明細書
【補正対象項目名】００５３
【補正方法】変更
【補正の内容】
【００５３】
インク導出部材３２ｂの導出口３２ｃを形成する内壁の側面３２ｇには、凹部３２ｅが形成される。シール部材３３の外周面３３ｅには、凹部３２ｅと当接する突部３３ｂが形成される。本実施形態において、シール部材３３の位置は、シール部材３３の外面３３ｅ，３３ｄと、インク導出部材３２ｂのインク導出口３２ｃを形成する内壁面３２ｇ，３２ｆと、が当接することによって決められている。すなわち、シール部材３３の位置は、インク供給針４０の挿入方向については、シール部材３３のフィルムＦ２と当接する面３３ｃとは反対側の面３３ｄと、インク導出部材３２の導出口３２ｃを形成する内壁の底面３２ｆとが当接することによって、決められる。一方、インク供給針４０の挿入方向と直交する面方向については、シール部材３３の外周面３３ｅに形成された突部３３ｂと、インク導出口３２ｃの内壁の側面３２ｇに形成された凹部３２ｅとが当接することによって、決められる。
【手続補正５】
【補正対象書類名】明細書
【補正対象項目名】００５７
【補正方法】変更
【補正の内容】
【００５７】
本実施形態では、インク導出部材３２ｂがインク袋３２ａと熱溶着されることから、インク導出部材３２ｂの材質はインク袋３２ａの材質と同じであることが好ましい。その意味で、本実施形態では、インク袋３２ａ、インク導出部材３２ｂ、インクケース３１は、ポリプロピレンまたはポリエチレン等で材質を統一している。封止フィルムＦ２の材質もポリプロピレンまたはポリエチレン等とすれば、上述の溶着を実現することができる。
【手続補正６】
【補正対象書類名】明細書
【補正対象項目名】００５９
【補正方法】変更
【補正の内容】
【００５９】
隙間Ｄ２が封止フィルムＦ２によりシールされる結果、インク導出部材３２ｂの凹部３２ｅと、シール部材３３の突部３３ｂとは、シール部材３３の位置決めのためたけに機能し、液密シール性は必ずしも要求されなくて済む。なお、このことから、シール部材３３の突部３３ｂやインク導出部材３２ｂの凹部３２ｅの構成は必須では無いことが理解できる。つまり、インク導出部材３２ｂの導出口３２ｃを形成する内壁の側面３２ｇ、シール部材３３の外周面３３ｅのうち、片方もしくは両方をフラットにしても良い。
【手続補正７】
【補正対象書類名】明細書
【補正対象項目名】００６０
【補正方法】変更
【補正の内容】
【００６０】
隙間Ｄ２を封止フィルムＦ２によってシールすることで、以下のような格別の効果を奏することができる。例えばインク導出部材３２ｂの真円度の精度が悪化して、凹部３２ｅと突部３３ｂとのシール性が不完全であったとしても、隙間Ｄ２を介してインク漏れが生ずることはない。また、インク袋３２ａからインクを加圧して供給することで、凹部３２ｅと突部３３ｂとのシールが破られても、封止フィルムＦ２によってインク漏れを防止できる。さらには、インクカートリッジ２３の落下や、インクカートリッジ２３に振動が加わった場合にも、封止フィルムＦ２によってインク漏れを防止できる。
【手続補正８】
【補正対象書類名】明細書
【補正対象項目名】００６３
【補正方法】変更
【補正の内容】
【００６３】
また、封止フィルムＦ２がインク導出部材３２ｂの先端部Ｒ１対して熱溶着されるため、インク導出部材３２ｂのインク導出口３２ｃも密封され、インクパック内部が外部から遮断される。そして、封止フィルムＦ２は、環状突起部Ｒ２と熱溶着されることによりインク導出部材３２ｂのインク導出口３２ｃが封止されるので、外部からインク供給針４０を挿入されて弁体３４が開放され、インクパック３２内に気泡を取り込むような問題もない。さらに、封止フィルムＦ２は環状突起部Ｒ２を囲む四方の独立突起部Ｒ３と熱溶着されているため、封止フィルムＦ２が何らかの力が働いて環状突起部Ｒ２から剥がれるのを防止できる。
【手続補正９】
【補正対象書類名】明細書
【補正対象項目名】００７７
【補正方法】変更
【補正の内容】
【００７７】
（第２実施形態）
図６は、第１実施形態とは異なるインク導出部材５０の分解斜視図である。図６に示すインク導出部材５０は、第１実施形態のインク導出部材３２ｂとは外形の形状が異なっている。さらに、本実施形態において、封止フィルムＦ２は、インクケースとは溶着されず、インク導出部材５０及びシール部材６０にのみ溶着されている。本実施形態はこれらの点においてのみ第１実施形態と異なっており、その他の点については第１実施形態と同様である。
【手続補正１０】
【補正対象書類名】明細書
【補正対象項目名】００７９
【補正方法】変更
【補正の内容】
【００７９】
インク導出部材５０は、開口端面５３よりも高さＬだけ突出している環状の第１溶着代５４を有する。同様に、シール部材６０は、インク導出口５１に挿入された状態で、インク導出部材５０の開口端面５３に対して高さＬだけ突出する環状の第２溶着代６２を有する。つまり、第１，第２溶着代５４，６２は面一となる。
【手続補正１１】
【補正対象書類名】明細書
【補正対象項目名】００９２
【補正方法】変更
【補正の内容】
【００９２】
インクパック１０７のインク導出部材１０７ａは、隔壁１０５ａに形成した接続口挿通用の開口１１８を気密に挿通して、図９（ａ）及び図９（ｂ）に示すように先端が検出ユニット収容部１１３内に突出するようになっている。なお、インク導出部材１０７ａは、第２実施形態のインク導出部材５０（図６及び図７参照）と同様であるため、その詳細な説明を省略する。
【手続補正１２】
【補正対象書類名】明細書
【補正対象項目名】０１１０
【補正方法】変更
【補正の内容】
【０１１０】
さらに、図１２に示すように、ケース本体１３３ａは、その裏面側で容器本体１０５の取付け部１２３（図９（ａ）参照）に対応する位置に、該取付け部１２３に回転可能に嵌合する容器嵌合部１３５を有する。この容器嵌合部１３５の内側には、インクパック１０７のインク導出部材１０７ａに挿入接続する接続針１１１ａが設けられている。この接続針１１１ａは、図８及び図９（ｂ）に示す封止フィルム１０８を突き破ってインク導出部材１０７ａ内に挿入される。これにより、インク導出部材１０７ａ内の弁機構を開放させてインクの導出が可能になる。つまり、接続針１１１ａは、上述のインク供給針と同様、流体導出針として機能する。前述の内部流路空間１４６と流路形成部材１３３ｃ（図１０及び図１１参照）が形成する流路は、インク導出部材１０９と接続針１１１ａとを連通させる内部流路である。
【手続補正１３】
【補正対象書類名】明細書
【補正対象項目名】０１３０
【補正方法】変更
【補正の内容】
【０１３０】
このように、破断された封止フィルム１０８，１５６を被覆フィルム２００，２２０によって被覆するだけで、封止フィルム１０８，１５６のシール機能を再利用しながら、第３の実施形態にかかるインクカートリッジ１００を再充填流体収容容器として再利用することが可能となり、回収された流体収容容器の商品価値を担保することができる。
【手続補正１４】
【補正対象書類名】図面
【補正対象項目名】図５
【補正方法】変更
【補正の内容】
【図５】
2008230214.tif 000001